(57)【特許請求の範囲】
【請求項１】
平衡伝送路を構成する第１の信号線上に配置された第１の電気信号処理回路と、当該平衡伝送路を構成する第２の信号線上に配置された第２の電気信号処理回路とを備え、当該平衡伝送路上を流れる電流の電流値が所定値以上に大きくなる事を防止する過電流防止装置において、
前記平衡伝送路に直流電流を供給する電源回路と、
前記平衡伝送路上の電位または電流に応じて当該電源回路を制御し、前記直流電流の値を増減させる制御回路と、
前記平衡伝送路を構成する第１の信号線と第２の信号線の電位に関する相対的な関係が正常であるか異常であるかを判定する相対正常性判定回路とを有し、
前記第１の電気信号処理回路は、
当該相対正常性判定回路が第１の信号線と第２の信号線の電位に関する相対的な関係が異常であると判定した場合に、前記第１の信号線上の電流値を制限する第１の電流制限回路を備え、
前記第２の電気信号処理回路は、
当該相対正常性判定回路が第１の信号線と第２の信号線の電位に関する相対的な関係が異常であると判定した場合に、第２の信号線上の電流値を制限する第２の電流制限回路を備え、
前記平衡伝送路上の電流値が所定値以上に大きくなることを防止することを特徴とする過電流防止装置。
【請求項２】
請求項１に記載の過電流防止装置において、
前記平衡伝送路の一端には、電話機端末の電話機回路、またはディジタル回線終端装置を接続したことを特徴とする過電流防止装置。
【発明の詳細な説明】
【０００１】
【発明の属する技術分野】
本発明は過電流防止装置に関し、例えば、電子交換機の加入者回路あるいはディジタル伝送システムの局内回線終端装置等の給電回路において、過電流を防止する場合などに適用して好適なものである。
【０００２】
【従来の技術】
従来の加入者回路としては、次の文献１に記載されたものがある。
【０００３】
文献１：特開平１１−４１６３４号公報
当該文献１の加入者回路１０の原理図を図２に示す。
【０００４】
図２において、当該加入者回路１０は、加入者線１３，１４の先に接続される電話機端末やＤＳＵ（Digital  Service  Unit：ディジタル回線終端装置）へ通話電流を供給するためのＤＣ／ＤＣコンバータ１６と、送受信する音声信号に対してハイインピーダンスにするための電子化チョーク回路１１，１２と、アナログ音声信号よりも高い周波数（ディジタル信号）に対してハイインピーダンスにするためのチョークコイルＬ１０、Ｌ１１と、通話電流を検出するとともに、加入者線１３、１４の線間電圧を検出する電圧・電流検出回路１５と、電話機端末へ安定した通話電流を供給するため、電圧・電流検出回路１５の出力Ｃ１に応じた制御信号Ｃ２をＤＣ／ＤＣコンバータ１６にフィードバックするコントローラ１７とを備えている。
【０００５】
この加入者回路１０の詳細な構成は、図３に示す通りである。
【０００６】
図３において、図２と同じ符号を付した構成要素Ｌ１０、Ｌ１１、１１，１２，１３，１４，１５、１６，１７などは図２の各構成要素に対応する。また、電子化チョーク回路５０は、前記電子化チョーク回路１１と１２を合わせた回路を示している。
【０００７】
なお、符号４９は、加入者線１３，１４にアナログ音声信号を伝送させる場合にはＤＣ／ＤＣコンバータ１６の１次側と２次側とを固定電位とし、ディジタル信号を伝送する場合にはフローティングにするフローティング／非フローティング切換部を示している。
【０００８】
【発明が解決しようとする課題】
ところで、前述の加入者回路１０では、通常、加入者線１３の電位は加入者線１４の電位より高く、この状態で電圧・電流検出回路１５は正常に動作する。しかしながら、加入者線１３，１４間の相対的な電位が常に正常な関係に維持されるとは限らない。
【０００９】
例えば、前記電話機端末へ接続している加入者線１３および／または１４が他の電線に接触するなどの理由で、加入者線１４の電位が加入者線１３の電位より高くなってしまうと、電圧・電流検出回路１５が正常に動作しなくなり、信号Ｃ１、Ｃ２の値が異常なものとなってＤＣ／ＤＣコンバータ１６を正常に制御できなくなる。
【００１０】
この場合、前記電話機端末やＤＳＵに通常流している電流よりも大きな電流（過電流）を流してしまい、ＤＣ／ＤＣコンバータ１６の部品、電話機端末、ＤＳＵ等を破壊する可能性があるため、信頼性に問題がある。
【００１１】
【課題を解決するための手段】
かかる課題を解決するために、本発明では、平衡伝送路を構成する第１の信号線上に配置された第１の電気信号処理回路と、当該平衡伝送路を構成する第２の信号線上に配置された第２の電気信号処理回路とを備え、当該平衡伝送路上を流れる電流の電流値が所定値以上に大きくなる事を防止する過電流防止装置において、（１）前記平衡伝送路に直流電流を供給する電源回路と、（２）前記平衡伝送路上の電位または電流に応じて当該電源回路を制御し、前記直流電流の値を増減させる制御回路と、（３）前記平衡伝送路を構成する第１の信号線と第２の信号線の電位に関する相対的な関係が正常であるか異常であるかを判定する相対正常性判定回路とを有し、（４）前記第１の電気信号処理回路は、当該相対正常性判定回路が第１の信号線と第２の信号線の電位に関する相対的な関係が異常であると判定した場合に、前記第１の信号線上の電流値を制限する第１の電流制限回路を備え、（５）前記第２の電気信号処理回路は、当該相対正常性判定回路が第１の信号線と第２の信号線の電位に関する相対的な関係が異常であると判定した場合に、第２の信号線上の電流値を制限する第２の電流制限回路を備え、前記平衡伝送路上の電流値が所定値以上に大きくなることを防止することを特徴とする。
【００１２】
【発明の実施の形態】
（Ａ）実施形態
以下、本発明にかかる過電流防止装置を加入者回路に適用した場合を例に、実施形態について説明する。
【００１３】
本実施形態は、平衡伝送路を構成する２つの加入者線間の相対的な電位の高低関係が正常でなくなったときでも、過電流が流れないように制限することを特徴とする。
【００１４】
（Ａ−１）実施形態の構成
図１に、本実施形態の加入者回路６０の主要部の構成例を示す。当該加入者回路６０は後述するようにディジタル加入者回路としても、アナログ加入者回路としても機能し得る。
【００１５】
図１において、当該加入者回路６０は、電子回路ユニット６１，６２と、加入者線６３，６４と、チョークコイルＣＣａ、ＣＣｂと、接続線６３Ａ、６４Ａと、電圧・電流検出回路６５、ＤＣ／ＤＣコンバータ６６と、コントローラ６７と、相対電位判定回路７３とを備えている。
【００１６】
このうち電子回路ユニット６１は、３つのインピーダンスＺｂ１〜Ｚｂ３と、ＰＮＰ形トランジスタＴｒｂ、Ｔｒｓｂと、Ｎ（Ｎは、自然数。ただし一例としては、Ｎ＝５程度であってよい）段接続のダイオードＤｉｎｂと、電流源Ｉｂと、抵抗Ｒｂと、スイッチＳＷｂとを備えている。
【００１７】
当該トランジスタＴｒｂのエミッタはインピーダンスＺｂ３を介して、べースはインピーダンスＺｂ２を介して接続点Ｂ０に接続されており、べース−コレクタ間にインピーダンスＺｂ１が接続され、コレクタは接続点Ｂ１に接続されている。
【００１８】
また、トランジスタＴｒｂのコレクタと、前記接続点Ｂ０のあいだには、スイッチＳＷｂが挿入されている。すなわち当該スイッチＳＷｂは、接続点Ｂ１とＢ０のあいだに挿入されている。
【００１９】
さらに接続点Ｂ０には、トランジスタＴｒｓｂのエミッタと抵抗Ｒｂの一端が接続され、当該トランジスタＴｒｓｂのベースには当該抵抗Ｒｂの他端と電流源Ｉｂの一端が接続されている。
【００２０】
また、前記Ｎ段接続のダイオードＤｉｎｂは、前記トランジスタＴｒｂのベースと前記トランジスタＴｒｓｂのコレクタとのあいだに、カソード側が当該ベースに接続され、アノード側が当該コレクタに接続される方向性で挿入されている。
【００２１】
このような接続関係を有する電子回路ユニット６１の内部は、一点鎖線で示したように、機能上、３つの回路にわけることができる。すなわち、電流制限回路６１Ａと、電子化チョーク回路６１Ｂと、スイッチ回路６１Ｃである。
【００２２】
前記チョークコイルＣＣａ、ＣＣｂと、当該電子化チョーク回路６１Ｂはともに交流信号（ディジタル信号またはアナログ音声信号）が流れるときの加入者線６３，６４等の電圧変動によってＤＣ／ＤＣコンバータ６６が出力する給電電流（すなわち通話電流。この通話電流は直流電流である）ＩＬが変動しないように、当該交流信号の周波数に対してＤＣ／ＤＣコンバータ６６側をハイインピーダンスにすることで、交流信号を阻止する点で同じである。
【００２３】
ただし前記チョークコイルＣＣａ、ＣＣｂが高周波のディジタル信号を阻止するものであるのに対し、当該電子化チョーク回路６１Ｂは低周波のアナログ音声信号を阻止する部分である。低周波信号を阻止するには大きなインダクタンス値が必要であるが、当該インダクタンス値を単純にチョークコイルを用いて実現しようとすると、必然的に形状も大きくなって実装が困難になり、商用電源などから雑音の影響を受ける可能性も強まる等、諸種の不利益が発生する。そこで、このような不利益を回避するため、トランジスタやＯＰアンプなどの能動素子と、コンデンサ、抵抗などの受動素子を組み合わせて、等価的に必要なインダクタンス値を実現したものが、この電子化チョーク回路である。
【００２４】
電子化チョーク回路６１Ｂはチョーク回路の一種であるから、直流電流など、前記アナログ音声信号よりも周波数の低い信号は、基本的にそのまま通過させる。
【００２５】
次に、スイッチ回路６１Ｃは、当該電子化チョーク回路６１Ｂを機能させる必要があるときにはＯＦＦ状態（図示の状態）となり、機能させる必要がないときにはＯＮ状態となるスイッチＳＷｂを有する部分である。具体的には、当該スイッチＳＷｂは、加入者線６３、６４上のアナログ音声信号が伝送されるアナログサービス時にはＯＦＦ状態とされ、反対に、加入者線６３、６４上をアナログ音声信号が伝送されないディジタル（ＩＳＤＮ）サービス時には、基本的にＯＮ状態となる。
【００２６】
ただし、ディジタルサービス時であっても、加入者線６３，６４に他の電線などが接触すること等によって電位ＶＡとＶＢの相対的な高低関係が逆転する異常状態が発生し、それを相対電位判定回路７３が検出した場合には、過電流を防止するためにＯＦＦ状態となる。
【００２７】
また、前記電流制限回路６１Ａは、当該異常状態を相対電位判定回路７３が検出したとき、接続線６３Ａ、６４Ａ、加入者線６３，６４上に流れる電流の電流値を制限するために機能する部分である。この電流制限機能は、トランジスタＴｒｂのエミッタ−ベース間電圧ＶＴｒｂｅｂとインピーダンスＺｂ３（純抵抗）における電流ＩＬによる電圧降下を加え合わせて得られる電圧値を、Ｎ段接続ダイオードＤｉｎｂにおける各ダイオードの立上がり電圧の合計値とトランジスタＴｒｓｂのエミッタ−コレクタ間電圧ＶＴｒｓｂｅｃを加え合わせて得られる電圧値以下に制限することによって実現されるものなので、アナログ音声信号であれ、直流電流であれ、トランジスタＴｒｂのコレクタ電流（≒ＩＬ）の電流値を制限するために有効である。
【００２８】
一方、電子回路ユニット６２は、３つのインピーダンスＺａ１〜Ｚａ３と、ＮＰＮ形トランジスタＴｒａ、Ｔｒｓａと、Ｎ（Ｎは、自然数）段接続のダイオードＤｉｎａと、電流源Ｉａと、抵抗Ｒａと、スイッチＳＷａとを備えている。
【００２９】
このうちインピーダンスＺａ１は前記Ｚｂ１に対応し、Ｚａ２は前記Ｚｂ２に対応し、Ｚａ３は前記Ｚｂ３に対応し、トランジスタＴｒａは前記Ｔｒｂに対応し、Ｔｒｓａは前記Ｔｒｓｂに対応し、ダイオードＤｉｎａは前記Ｄｉｎｂに対応し、電流源Ｉａは前記Ｉｂに対応し、抵抗Ｒａは前記Ｒｂに対応し、スイッチＳＷａは前記ＳＷｂに対応している。
【００３０】
そして電子回路ユニット６２内におけるこれらの接続関係も前記電子回路ユニット６１と対称的なものである。
【００３１】
すなわち、当該トランジスタＴｒａのエミッタはインピーダンスＺａ３を介して、べースはインピーダンスＺａ２を介して接続点Ａ０に接続されており、べース−コレクタ間にインピーダンスＺａ１が接続され、コレクタは接続点Ａ１に接続されている。
【００３２】
また、トランジスタＴｒａのコレクタと、接続点Ａ０のあいだにはスイッチＳＷａが挿入されている。すなわち当該スイッチＳＷａは、接続点Ａ１とＡ０のあいだに挿入されている。
【００３３】
さらに接続点Ａ０には、トランジスタＴｒｓａのエミッタと抵抗Ｒａの一端が接続され、当該トランジスタＴｒｓａのベースには当該抵抗Ｒａの他端と電流源Ｉａの一端が接続されている。
【００３４】
また、前記Ｎ段接続のダイオードＤｉｎａは、前記トランジスタＴｒａのベースと前記トランジスタＴｒｓａのコレクタとのあいだに、カソード側が当該コレクタに接続され、アノード側が当該ベースに接続される方向性で挿入されている。
【００３５】
このような接続関係を有する電子回路ユニット６２の内部も、前記電子回路ユニット６１と同様、一点鎖線で示したように、電流制限回路６２Ａと、電子化チョーク回路６２Ｂと、スイッチ回路６２Ｃにわけることができる。ここで、電流制限回路６２Ａは前記電流制限回路６１Ａに対応し、電子化チョーク回路６２Ｂは前記電子化チョーク回路６１Ｂに対応し、スイッチ回路６２Ｃは前記スイッチ回路６１Ｃに対応する部分である。
【００３６】
したがって、電子化チョーク回路６２Ｂは低周波のアナログ音声信号を阻止するチョーク回路として機能し、スイッチ回路６２ＣのスイッチＳＷａは、加入者線６３、６４上のアナログ音声信号が伝送されるアナログサービス時にはＯＦＦ状態とされ、反対に、加入者線６３、６４上をアナログ音声信号が伝送されないディジタルサービス時には、基本的にＯＮ状態とされ、電流制限回路６２Ａは、前記異常状態を相対電位判定回路７３が検出したとき、接続線６３Ａ、６４Ａ、加入者線６３，６４上に流れる電流の電流値を制限するために機能する。
【００３７】
また、これら電子回路ユニット６１，６２の外では、前記接続点Ｂ０は、接続線６３Ａを介して電圧・電流検出回路６５と、相対電位判定回路７３に接続され、接続点Ｂ１は、チョークコイルＣＣｂ、接続点Ｔ１を介して加入者線６３に接続され、当該加入者線６３には端末６８の一方の端子が接続されている。
【００３８】
当該端末６８の他方の端子には、加入者線６４が接続され、当該加入者線６４は、接続点Ｔ２、チョークコイルＣＣａ、前記接続点Ａ１を介して、電子回路ユニット６２に接続され、当該電子回路ユニット６２は接続点Ａ０を介して電圧・電流検出回路６５と、相対電位判定回路７３に接続されている。
【００３９】
ここで、端末６８がアナログ電話機である場合には、当該加入者線６３，６４に接続されるのは、アナログ電話機が内蔵している電話機回路（図示せず）の２つの端子であり、端末６８がディジタル電話機を含む場合などには、当該加入者線６３，６４に接続されるのは、ＤＳＵである。そして当該ディジタル電話機は、ＴＡ（Terminal  Adapter）を介して当該ＤＳＵに接続される。
【００４０】
加入者線６３，６４間の電圧Ｖ１２と、端末６８の通話電流（負荷電流）ＩＬの関係がまったく異なる等の理由のため、本来、ディジタル加入者回路とアナログ加入者回路を共用することは困難であるが、本実施形態の加入者回路６０は、端末６８の内容に応じて、アナログ加入者回路としても、ディジタル加入者回路としても機能することができる。
【００４１】
前記接続線６３Ａおよび接続線６４Ａに接続されている相対電位判定回路７３は、フォトカプラ７１と、判定回路７２と、抵抗Ｒｓを備えている。当該フォトカプラ７１は、アノードを接続点Ａ０に接続するとともにカソードを接続点Ｂ０に接続した発光ダイオード６９と、ＮＰＮ形のフォトトランジスタ７０から構成され、当該フォトトランジスタ７０のコレクタには電源電圧ＶＣＣが接続され、エミッタには抵抗Ｒｓの一端と出力端子ＣＯＭ１とが接続されている。そして、当該抵抗Ｒｓの他端は接地されている。
【００４２】
このような接続関係のため、接続点Ｂ０の電位ＶＢが接続点Ａ０の電位ＶＡよりも高い正常状態では、発光ダイオード６９が発光することがなく出力端子ＣＯＭ１の電位は、ほぼ接地電位（ＧＮＤ）にあるが、加入者線６３，６４に他の電線などが接触すること等によって電位ＶＡとＶＢの相対的な高低関係が逆転する異常状態が発生すると、発光ダイオード６９が発光し、フォトトランジスタ７０にエミッタ電流が流れる。そしてこのエミッタ電流によって、抵抗Ｒｓの電圧降下が起こり、出力端子ＣＯＭ１の電位が電源電圧ＶＣＣの近傍まで上昇する。
【００４３】
当該出力端子ＣＯＭ１には前記判定回路７２が接続されており、当該判定回路７２は、所定のしきい値Ｖｔｈの供給を受け、出力端子ＣＯＭ１の電位、すなわちフォトトランジスタ７０のエミッタ電位が、当該しきい値Ｖｔｈに比べて高いか、低いかを判断することにより、加入者回路６０が正常状態にあるか異常状態にあるかを判定する。
【００４４】
当該しきい値Ｖｔｈは、接地電位と電源電圧ＶＣＣの中間ほどに設定しておけばよい。
【００４５】
フォトトランジスタ７０のエミッタ電位が当該しきい値Ｖｔｈに比べて低い正常状態では、判定回路７２の出力信号ＰＴも正常状態（例えばハイレベル）となり、反対に、フォトトランジスタ７０のエミッタ電位が当該しきい値Ｖｔｈに比べて高い異常状態では、判定回路７２の出力信号ＰＴも異常状態（例えばローレベル）となる。
【００４６】
当該出力信号ＰＴを制御入力端子で受け取る電流源Ｉｂは、当該出力信号ＰＴが正常状態を示すときには電流を流さず、異常状態を示すときには電流を流す。同様に当該出力信号ＰＴを制御入力端子で受け取る電流源Ｉａも、当該出力信号ＰＴが正常状態を示すときには電流を流さず、異常状態を示すときには電流を流す。
【００４７】
次に、前記接続線６３Ａ、６４Ａに接続されている電圧・電流検出回路６５は、通話電流ＩＬを検出する電流検出回路とともに、接続線６３Ａ、６４Ａの線間電圧を検出する電圧検出回路を内蔵した回路で、端末６８に対する安定した通話電流ＩＬの供給を行わせるため、検出した通話電流ＩＬや線間電圧の値に応じた信号Ｃ１１をコントローラ６７に供給し、コントローラ６７は当該信号Ｃ１１に応じた信号Ｃ１２をＤＣ／ＤＣコンバータ６６に供給する。
【００４８】
ＤＣ／ＤＣコンバータ６６は１次側直流電圧をスイッチングすることにより２次側直流電圧を発生するコンバータで、当該制御信号Ｃ１２に応じて当該スイッチングの間隔を変化させて端末６８へ供給する通話電流ＩＬを変化させる部分である。
【００４９】
以上のような構成では、加入者線６３，６４、接続線６３Ａ、６４Ａなどは平衡型であり、電子回路ユニット６１と６３の関係なども平衡型の回路構成となっている。このような平衡型の伝送路や回路構成によれば、コモンモードノイズがノーマルモードノイズに変化することを防止できるため、ノイズの影響を低減することができ、伝送品質が高い。
【００５０】
以下、上記のような構成を有する本実施形態の動作について説明する。
【００５１】
（Ａ−２）実施形態の動作
アナログ音声信号を扱うアナログサービス時には、通常、前記スイッチ回路６１Ｃ、６２Ｃ内の前記スイッチＳＷｂ、ＳＷａをＯＦＦ状態としておく。そして、接続点Ｂ０の電位ＶＢが接続点Ａ０の電位ＶＡより高い正常状態では、フォトカプラ７１の発光部ダイオード６９に電流が流れないため、抵抗Ｒｂにおける前記電圧降下も発生せず、出力端子ＣＯＭ１の電位はほぼ接地電位（０ボルト）に等しい。この時、前記出力信号ＰＴは正常状態を示すため、当該出力信号ＰＴを受け取る電流源Ｉｂ、Ｉａは、電流を流さない。
【００５２】
したがって、電子回路ユニット６１の内部においては電流制限回路６１Ａは動作せず、電子化チョーク回路６１Ｂだけが動作している。
【００５３】
加入者回路６０がこのような正常状態にあるとき、端末６８まで伸びている加入者線６３および／または６４が他の電線に接触するなどの理由で、加入者線６４の電位が加入者線６３の電位より高くなってしまうと、接続点Ａ０の電位ＶＡが接続点Ｂ０の電位ＶＢよりも高くなり、加入者回路６０は上述した異常状態に変化する。
【００５４】
接続点Ａ０の電位ＶＡが接続点Ｂ０の電位ＶＢよりも高くなると、フォトカプラ７１内の発光部ダイオード６９に電流が流れ、フォトトランジスタ７０がエミッタ電流を流して抵抗Ｒｓに電圧降下が発生して、フォトトランジスタ７０のエミッタ電位がほぼ電源電圧ＶＣＣに達するから、前記しきい値Ｖｔｈを超えて、判定回路７２の出力する出力信号ＰＴは、正常状態から異常状態に変化する。
【００５５】
そして、これを受けた電流源Ｉｂ、Ｉａが電流を流すようになると、トランジスタＴｒｓｂのエミッタ−べース間に電圧が生じ、トランジスタＴｒｓｂがオンし、トランジスタＴｒｂのべースと接続点Ｂ０間の電圧は、Ｎ段ダイオードＤｉｎｂの電圧降下Ｎ×ＶｄとトランジスタＴｒｓｂのエミッタ−コレクタ間電圧ＶＴｒｓｂｅｃを加えた値より低く抑えられる。
【００５６】
このとき、トランジスタＴｒｂのべースと接続点Ｂ０間の電圧は、インピーダンス（このインピーダンスは純抵抗のみで構成されるものであってよい）Ｚｂ３の両端子間の電圧Ｚｂ３×ＩＬとトランジスタＴｒｂのエミッタ−べース間電圧ＶＴｒｂｅｂを加えた値になり、次の式（１）が成立する。
【００５７】
Ｚｂ３×ＩＬ＋ＶＴｒｂｅｂ≦Ｎ×Ｖｄ＋ＶＴｒｓｂｅｃ      …（１）
そして、この式（１）をもとに次の式（２）が得られる。
【００５８】
ＩＬ≦（Ｎ×Ｖｄ＋ＶＴｒｓｂｅｃ−ＶＴｒｂｅｂ）／Ｚｂ３  …（２）
この式（２）は、端末６８や接続点Ｂ０に流れる通話電流ＩＬの電流値を、式（２）の右辺によって指定される値以下に抑えることができる、つまり過電流を防止することができることを意味する。
【００５９】
また、例えば、Ｎ段ダイオードＤｉｎｂのダイオード段数を変えることで、許容される最大の通話電流ＩＬの値を変更することが可能である。
【００６０】
一方、電子回路ユニット６１と対称的な構造を持つ電子回路ユニット６２の内部でも、これと同時に、同様な回路動作が起きる。
【００６１】
すなわち、前記出力信号ＰＴが正常状態から異常状態に変化すると、電流源Ｉａが電流を流すようになり、抵抗Ｒａの両端子間に電圧が生じてトランジスタＴｒｓａのエミッタ−べース間に十分な電圧が生じ、トランジスタＴｒｓａがオンすると、トランジスタＴｒａのべースと接続点Ａ０間の電圧は、Ｎ段ダイオードＤｉｎａの電圧降下Ｎ×ＶｄとトランジスタＴｒｓａのエミッタ−コレクタ間電圧ＶＴｒｓａｅｃを加えた値より低く抑えられる。
【００６２】
ここでトランジスタＴｒａのべースと接続点Ａ０間の電圧は、インピーダンス（このインピーダンスは純抵抗のみで構成されるものであってよい）Ｚａ３の両端子間の電圧Ｚａ３×ＩＬとトランジスタＴｒａのエミッタ−べース間電圧ＶＴｒａｅｂを加えた値になるため、前記式（１）に対応する次の式（３）が成立し、当該式（３）をもとに式(４）が得られる。
【００６３】
Ｚａ３×ＩＬ＋ＶＴｒａｅｂ≦Ｎ×Ｖｄ＋ＶＴｒｓａｅｃ        …(３）
ＩＬ≦（Ｎ×Ｖｄ＋ＶＴｒｓａｅｃ−ＶＴｒａｅｂ）／Ｚａ３    …(４）
前記式（２）と同様にこの式(４）は、端末６８や接続点Ｂ０に流れる通話電流ＩＬの電流値を、式（４）の右辺によって指定される値以下に低く抑えることができ、過電流を防止することができることを意味する。
【００６４】
なお、加入者線６３，６４上を高周波のディジタル信号が伝送されるディジタルサービス時においては、チョークコイルＣＣｂ、ＣＣａが当該ディジタル信号を阻止でき、電子化チョーク回路６１Ｂ、６２Ｂを使用する必要はないため、基本的に、前記スイッチＳＷｂ、ＳＷａはＯＦＦ状態にある。
【００６５】
ただし、相対電位判定回路７３が電位ＶＡとＶＢの相対的な高低関係が逆転する異常状態を検出し、前記出力信号ＰＴが異常状態となったときには、前記電流源Ｉｂ、Ｉａが電流を流し始めるとともに、スイッチＳＷｂおよびＳＷａがＯＦＦ状態とされて、前記電流制限回路６１Ａ、６２Ａの動作で、加入者線６３，６４、および接続線６３Ａ、６４Ａ上を伝送される通話電流ＩＬの電流値が制限され、過電流を防止することができる。
【００６６】
（Ａ−３）実施形態の効果
以上述べたように、本実施形態によれば、前記異常状態が発生した場合でも、過電流の発生を防止することができ、信頼性が向上する。
【００６７】
これにより、過電流のために端末（６８）やＤＣ／ＤＣコンバータ（６６）の部品が破壊されることがなくなる。
【００６８】
（Ｂ）他の実施形態
上記実施形態では、判定回路７２の出力信号ＰＴが異常状態を示したときのみ、電流源Ｉａ、Ｉｂに電流を流して電流制限回路６１Ａ，６２Ａを動作させ、平衡伝送路上の電流値を制限する構成としたが、必要ならば、つねに電流制限回路６１Ａ，６２Ａを動作させて、平衡伝送路上の電流値を制限するようにしてもよい。
【００６９】
その場合、電流源Ｉｂ、Ｉａはつねに電流を流すことになるので、相対電位判定回路７３を省略できることは当然である。
【００７０】
また、上記実施形態ではフォトカプラを用いているが、別の構成の電位反転検出回路または過電流検出回路、あるいはその組み合わせを用いても良い。
【００７１】
さらに、上記実施形態は接続点Ｂ０、Ａ０の電位反転を検出するが、接続点Ｂ１、Ａ１の電位反転や接続点Ｔ１、Ｔ２の電位反転を検出する構成でも良い。
【００７２】
なお、実施形態はダイオードとトランジスタ、抵抗と電流源を用いて、トランジスタＴｒｂのべースＢ０間の電圧およびトランジスタＴｒａのべースＡ０間の電圧を抑えているが、他の回路構成を用いて電圧を抑える構成でも良い。
【００７３】
また、上記実施形態では、ディスクリートの外付け部品を使用しているがＬＳＩなどに内蔵してもよい。
【００７４】
さらに、上記実施形態は加入者回路を例に説明しているが、本発明は加入者回路以外にも適用可能である。その場合、例えば前記ＤＣ／ＤＣコンバータ６６は、他の電源回路に置換可能である。
【００７５】
【発明の効果】
以上に説明したように、本発明によれば、平衡伝送路上に過電流が発生することを防止できるため、平衡伝送路の信頼性を高めることが可能である。
【図面の簡単な説明】
【図１】実施形態に係る加入者回路の主要部の構成例を示す概略図である。
【図２】従来の加入者回路を示す概略図である。
【図３】従来の加入者回路を示す回路図である。
【符号の説明】
１０、２０、６０…加入者回路、１１，１２、５０…電子化チョーク回路、１６，６６…ＤＣ／ＤＣコンバータ、６１，６２…電子回路ユニット、６３、６４…加入者線、６５…電圧・電流検出回路、１７、６７…コントローラ、６８…端末（電話機端末、ＤＳＵなど）、７３…相対電位判定回路、Ｌ１０、Ｌ１１、ＣＣａ、ＣＣｂ…チョークコイル、Ａ０、Ｂ０、Ａ１、Ｂ１…接続点。
【図１】
0003844441.tif 000002
【図２】
0003844441.tif 000003
【図３】
0003844441.tif 000004